(57)【要約】【課題】  出隅部の幅木形成に好適な出隅部幅木材を提供する。【解決手段】  内装の出隅部２に設けられる幅木材であって、芯材１１の表面に、可撓変形可能な化粧層１２を有する長板状に形成されてなり、裏面中央部に、隣接する二つのＶ溝１３，１３が長手方向に対して直交する方向に設けられ、これらのＶ溝１３，１３は、表面の化粧層１２の部分を残して厚み方向全体に相当する深さで、これらの二つのＶ溝１３，１３の最深部を起点に残された化粧層１２の部分を折り曲げることによって二つの鈍角の角部１ａ，１ａを形成することが可能な鋭角に形成されてなる出隅部幅木材１である。【選択図】  図２
2005144740.tif 000002
【特許請求の範囲】
【請求項１】
内装の出隅部に設けられる幅木材であって、
芯材の表面に、可撓変形可能な化粧層を有する長板状に形成されてなり、
裏面中央部に、隣接する二つのＶ溝が長手方向に対して直交する方向に設けられ、これらのＶ溝は、表面の化粧層の部分を残して厚み方向全体に相当する深さで、これらの二つのＶ溝最深部を起点に残された化粧層の部分を折り曲げることによって二つの鈍角の角部を形成することが可能な鋭角に形成されてなることを特徴とする出隅部幅木材。
【発明の詳細な説明】
【技術分野】
【０００１】
本発明は、住宅建物内の内装の出隅部に施工される幅木材に関するものである。
【背景技術】
【０００２】
一般に、住宅建物内の内装の出隅部に施工される幅木としては、あらかじめ出隅部に合わせて９０度で形成されたものが用いられているが、この幅木は、現場調整で切断が必要な場合に、電動工具での切断が困難になる。
【０００３】
そこで、従来より、短冊状に形成された基板の中心部にＶカット溝を設け、このＶカット溝の位置で、基板の表面に残された化粧表面材の部分を９０度に折り曲げて現場で容易に施工できるようになされた幅木材料が提案されている。
【０００４】
また、湾曲変形可能に形成された板状物の裏面に複数の縦溝を形成し、この縦溝の部分を内装コーナー材の湾曲面に沿って湾曲させながら施工することができるようになされた幅木が提案されている。
【特許文献１】実公平３−７１０４６号
【特許文献２】特公平２−５３５８２号
【発明の開示】
【発明が解決しようとする課題】
【０００５】
しかし、Ｖカット溝を設けた幅木材料の場合、９０度に折り曲げるので、形成される幅木の角部は、出隅部と同じ鋭利な直角となり、表面に化粧表面材が被覆されているだけで、安全上好ましくない。
【０００６】
このような出隅部の角部は、鋭利な直角である上に出っ張っているため、傷や欠損を生じ易い部位であり、かつ、化粧表面材は、この角部の位置で９０度に折り曲げられるまで引き伸ばされているので、破れて剥離し易くなってしまう。
【０００７】
一方、湾曲変形可能に形成された板状物の場合、湾曲した出隅部に対しては有効であるかも知れないが、直角に折れ曲がった出隅部に対しては、歪みが大きくなりすぎて対応することができない。また、湾曲変形可能に形成された板状物の場合、可撓性を有する樹脂材料などで形成されるため、質感が悪く、仕上がりも縦溝によるシワが形成されることとなり、外観上好ましくない。さらに、平面部分に使用される通常の幅木と素材感が合わない。そのため、平面部分に使用される幅木も、この出隅部に使用される幅木と同じ素材に変更して全体の素材感を合わせることも考えられるが、いずれにせよ可撓性を有する樹脂材料などで形成される限り、高級感を得ることはできない。
【０００８】
本発明は係る実情に鑑みてなされたものであって、出隅部の幅木形成に好適な出隅部幅木材を提供することを目的としている。
【課題を解決するための手段】
【０００９】
上記課題を解決するための本発明の出隅部幅木材は、内装の出隅部に設けられる幅木材であって、芯材の表面に、可撓変形可能な化粧層を有する長板状に形成されてなり、裏面中央部に、隣接する二つのＶ溝が長手方向に対して直交する方向に設けられ、これらのＶ溝は、表面の化粧層の部分を残して厚み方向全体に相当する深さで、これらの二つのＶ溝最深部を起点に残された化粧層の部分を折り曲げることによって二つの鈍角の角部を形成することが可能な鋭角に形成されてなるものである。
【発明の効果】
【００１０】
以上述べたように、本発明によれば、二つのＶ溝最深部を起点に残された化粧層の部分を折り曲げることによって二つの鈍角の角部を形成することが可能なので、角が鋭利にならず、安全である。また、直角の出隅部に対して、角が鋭利にならず、二つの鈍角によって形成されるため、傷や欠損を生じ難くすることができる。さらに、芯材の表面の化粧層は、鈍角に曲げられる程度なので、破れて剥離するようなことにもなり難く、優れた耐久性を得ることができる。
【００１１】
また、この出隅部幅木材は、通常の平面部分に使用されている幅木と同様に芯材の表面に化粧層を有するものであるため、平面部分に使用されている幅木と素材感も一致し、かつ、樹脂製品のような質感の悪化もなく、優れた外観に仕上げて高級感を演出することができる。
【発明を実施するための最良の形態】
【００１２】
以下、本発明の実施の形態を図面を参照して説明する。
【００１３】
図１は出隅部幅木材１の全体構成の概略を示し、図２は同出隅部幅木材１の使用状態を示している。
【００１４】
この出隅部幅木材１は、内装の出隅部２に設けられる幅木材であって、芯材１１の表面に、可撓変形可能な化粧層１２を有する長板状に形成されてなり、裏面中央部に、隣接する二つのＶ溝１３，１３が長手方向に対して直交する方向に設けられている。
【００１５】
芯材１１は、通常、ＭＤＦ（中密度圧縮合板）が用いられるが、合板、天然木、人工木などで形成されたものであってもよい。この芯材１１は、幅９５ｍｍ、長さ２８４ｍｍ、厚さ７．４ｍｍに形成されている。ただし、この芯材１１の大きさについては、特に限定されるものではなく、一般的に幅木として使用されている大きさであれば、各種長板状に形成されたものを使用することができる。また、芯材１１の表面には長手方向に沿って溝部１４が形成されている。この溝部１４に近い側の一側辺には、表面側から裏面側に向かうに従って１ｍｍ縮幅するテーパ面１５が形成されている。また、他側辺には、表面側が切り欠かれた段部１６が形成されている。
【００１６】
化粧層１２は、オレフィンシート、その他、可撓変形可能な可撓性材料からなる各種のシート材が用いられる。この化粧層１２は、芯材１１の表面から両側辺を経て裏面に巻き込むようにして貼設される。この際、化粧層１２は、芯材１１の溝部１４やテーパ面１５や段部１６にしっかりと沿うように貼設される。
【００１７】
このようにして形成される出隅部幅木材１は、裏面の略中央部に、長手方向に対して直交する方向で二本のＶ溝１３，１３が隣接して設けられる。これらのＶ溝１３，１３は、表面の化粧層１２の部分のみを残して厚み方向の略全体に相当する深さに形成され、それぞれの溝角が４５度となされ、各Ｖ溝１３，１３間には１ｍｍの間隙が形成される。この際、溝部１４および段部１６の化粧層１２の部分は、化粧層１２ごと切除し、実質的に芯材１１の表面の化粧層１２の部分のみが残るようにＶ溝１３，１３を形成する。
【００１８】
このようにして構成される出隅部幅木材１は、内装の平面部分に施工される通常の幅木１０と同様に、芯材１１の表面に化粧層１２を被覆して形成したものであるため、幅木１０との外観差を生じることも無く、優れた外観に仕上げて高級感を演出することができる。また、最初から出隅部２に合わせて９０度に折り曲げた状態に形成されておらず、平板状であるため、嵩張ることも無く、容易に保管、運搬などを行うとこができる。
【００１９】
また、出隅部幅木材１は、Ｖ溝１３，１３の最深部では、化粧層１２のみとなるので、この最深部を起点に残された化粧層１２の部分を折り曲げることで、出隅部２に沿った直角に折り曲げることができ、表面には、１３５度の二つの鈍角の角部１ａ，１ａを形成することができる。
【００２０】
なお、本実施の形態において、出隅部幅木材１は、溝部１４、テーパ面１５、段部１６などが設けられているが、このような出隅部幅木材１の意匠は、特に限定されるものではなく、平面部に施工される通常の幅木１０と合致していればよい。
【００２１】
次に、この出隅部幅木材１の施工方法について説明する。
【００２２】
まず、出隅部２の両側の面にそれぞれ通常の幅木１０，１０を設けて、出隅部２だけを残した状態まで施工する。
【００２３】
次いで、この残った出隅部２に合わせて出隅部幅木材１を切断する。
【００２４】
この際、出隅部幅木材１は、最初から出隅部２の形状に形成されておらず、板状であるため、容易に切断することができる。
【００２５】
切断後の出隅部幅木材１は、裏面のＶ溝１３，１３の部分にそれぞれ接着剤３を塗布した後、Ｖ溝１３，１３の最深部の化粧層１２の部分を折り曲げてＶ溝１３，１３を閉じて貼り合わせ、出隅部２に合わせて当接する。
【００２６】
この際、出隅部幅木材１は、２つのＶ溝１３，１３を閉じるように、このＶ溝１３，１３の最深部の化粧層１２の部分を、現場で出隅部２に合わせて折り曲げて調整することができるので、出隅部２が９０度から多少ばらついた時の対応が容易になる。また、芯材１１の表面の化粧層１２は、鈍角に曲げられる程度なので、破れて剥離するようなことにもなり難く、優れた耐久性を得ることができる。
【００２７】
最後に、出隅部幅木材１は、溝部１４から目隠し釘４を打って出隅２に固定して施工を完了する。この施工完了状態において、出隅部幅木材１は、９０度の出隅部２に対して１３５度の二つの鈍角の角部１ａ，１ａが形成されるので、角が鋭利にならない。したがって、傷や欠損を生じ難く、安全である。
【産業上の利用可能性】
【００２８】
住宅建物の出隅の幅木に適用できる。
【図面の簡単な説明】
【００２９】
【図１】（ａ）ないし（ｃ）は本発明に係る出隅部幅木材の全体構成の概略を示す平面図、背面図、側面図である。
【図２】（ａ）は出隅部幅木材の施工途中を示す背面図、（ｂ）は同施工完了状態を示す斜視図である。
【符号の説明】
【００３０】
１  出隅部幅木材
１ａ  角部
１１  芯材
１２  化粧層
１３  Ｖ溝
２  出隅部
【図１】
2005144740.tif 000003
【図２】
2005144740.tif 000004